(57)【要約】【課題】ユーザが使用する撮像装置と撮影環境に応じた、ユーザにとって望ましい撮像指示情報が得られるようにする。【解決手段】カメラユニット１０１と通信可能なＧＰＳユニット２０１は、当該ＧＰＳユニット２０１の位置を検出する位置検出手段と、撮影スポットの位置情報とカメラユニット１０１の撮像パラメータを含む撮像指示情報を格納する撮像指示情報格納手段と、前記位置検出手段で検出した位置情報をカメラユニット１０１に送信する送信手段と、カメラユニット１０１で撮影の際に編集した撮像パラメータをカメラユニット１０１から受信する受信手段と、前記受信手段で受信した編集後の撮像パラメータを保存する保存手段とを備える。【選択図】図１
2012058473.tif 000002
【特許請求の範囲】
【請求項１】
撮像装置と通信可能な位置情報取得装置であって、
当該位置情報取得装置の位置を検出する位置検出手段と、
撮影スポットの位置情報と前記撮像装置の撮像パラメータを含む撮像指示情報を格納する撮像指示情報格納手段と、
前記位置検出手段で検出した位置情報を前記撮像装置に送信する送信手段と、
前記撮像装置で撮影の際に編集した撮像パラメータを前記撮像装置から受信する受信手段と、
前記受信手段で受信した編集後の撮像パラメータを保存する保存手段とを備えることを特徴とする位置情報取得装置。
【請求項２】
位置情報取得装置と通信可能な撮像装置であって、
撮影スポットの位置情報と当該撮像装置の撮像パラメータを含む撮像指示情報、及び、前記位置情報取得装置で検出した位置情報を前記位置情報取得装置から受信する受信手段と、
前記受信手段で受信した前記撮像指示情報の前記撮像パラメータを撮影の際に編集する編集手段と、
前記受信手段で受信した位置情報と、前記編集手段で撮像の際に編集した撮像パラメータとを関連付けて保存する保存手段とを備えることを特徴とする撮像装置。
【請求項３】
位置情報取得装置と通信可能な撮像装置であって、
前記位置情報取得装置で検出した位置情報を受信する受信手段と、
撮影スポットの位置情報と当該撮像装置の撮像パラメータを含む撮像指示情報を格納する撮像指示情報格納手段と、
前記撮像指示情報格納手段に格納された前記撮像指示情報の前記撮像パラメータを撮影の際に編集する編集手段と、
前記受信手段で受信した位置情報と、前記編集手段で撮影の際に編集した撮像パラメータとを関連付けて保存する保存手段とを備えることを特徴とする撮像装置。
【請求項４】
撮像装置と通信可能な位置情報取得装置であり、当該位置情報取得装置の位置を検出する位置検出手段と、撮影スポットの位置情報と前記撮像装置の撮像パラメータを含む撮像指示情報を格納する撮像指示情報格納手段とを備えた位置情報取得装置の制御方法であって、
前記位置検出手段で検出した位置情報を前記撮像装置に送信するステップと、
前記撮像装置で撮影の際に編集した撮像パラメータを前記撮像装置から受信するステップと、
前記受信した編集後の撮像パラメータを保存するステップとを有することを特徴とする位置情報取得装置の制御方法。
【請求項５】
位置情報取得装置と通信可能な撮像装置の制御方法であって、
撮影スポットの位置情報と当該撮像装置の撮像パラメータを含む撮像指示情報、及び、前記位置情報取得装置で検出した位置情報を前記位置情報取得装置から受信するステップと、
前記受信した前記撮像指示情報の前記撮像パラメータを撮影の際に編集するステップと、
前記受信した位置情報と、前記撮像の際に編集した撮像パラメータとを関連付けて保存するステップとを有することを特徴とする撮像装置の制御方法。
【請求項６】
位置情報取得装置と通信可能な撮像装置であり、撮影スポットの位置情報と当該撮像装置の撮像パラメータを含む撮像指示情報を格納する撮像指示情報格納手段を備えた撮像装置の制御方法であって、
前記位置情報取得装置で検出した位置情報を受信するステップと、
前記撮像指示情報格納手段に格納された前記撮像指示情報の前記撮像パラメータを撮影の際に編集するステップと、
前記受信した位置情報と、前記撮像の際に編集した撮像パラメータとを関連付けて保存するステップとを有することを特徴とする撮像装置の制御方法。
【請求項７】
撮像装置と通信可能な位置情報取得装置を制御するためのプログラムであって、
当該位置情報取得装置の位置を検出する位置検出手段と、
撮影スポットの位置情報と前記撮像装置の撮像パラメータを含む撮像指示情報を格納する撮像指示情報格納手段と、
前記位置検出手段で検出した位置情報を前記撮像装置に送信する送信手段と、
前記撮像装置で撮影の際に編集した撮像パラメータを前記撮像装置から受信する受信手段と、
前記受信手段で受信した編集後の撮像パラメータを保存する保存手段としてコンピュータを機能させるためのプログラム。
【請求項８】
位置情報取得装置と通信可能な撮像装置を制御するためのプログラムであって、
撮影スポットの位置情報と当該撮像装置の撮像パラメータを含む撮像指示情報、及び、前記位置情報取得装置で検出した位置情報を前記位置情報取得装置から受信する受信手段と、
前記受信手段で受信した前記撮像指示情報の前記撮像パラメータを撮影の際に編集する編集手段と、
前記受信手段で受信した位置情報と、前記編集手段で撮像の際に編集した撮像パラメータとを関連付けて保存する保存手段としてコンピュータを機能させるためのプログラム。
【請求項９】
位置情報取得装置と通信可能な撮像装置を制御するためのプログラムであって、
前記位置情報取得装置で検出した位置情報を受信する受信手段と、
撮影スポットの位置情報と当該撮像装置の撮像パラメータを含む撮像指示情報を格納する撮像指示情報格納手段と、
前記撮像指示情報格納手段に格納された前記撮像指示情報の前記撮像パラメータを撮影の際に編集する編集手段と、
前記受信手段で受信した位置情報と、前記編集手段で撮影の際に編集した撮像パラメータとを関連付けて保存する保存手段としてコンピュータを機能させるためのプログラム。
【発明の詳細な説明】
【技術分野】
【０００１】
本発明は、ＧＰＳユニット等の位置情報取得装置、デジタルカメラ等の撮像装置、それらの制御方法及びプログラムに関する。
【背景技術】
【０００２】
ＧＰＳ衛星又は無線基地局から送信される測位情報に基づいて、カメラの位置情報を取得して、この位置情報を撮影時に表示するとともに、撮影した位置を記録するカメラが知られている。
【０００３】
また、ユーザが撮影スポットに居ることに気付かず、撮影しないまま通り過ぎてしまうことがないように、撮影スポットや撮影時刻であることをユーザに知らせ、撮影方向を指示するデジタルカメラが提案されている。例えば特許文献１には、撮像装置が、撮像位置と撮像方向を含む撮像指示情報を格納する撮像指示情報格納部と、位置検出部と、撮像指示情報からの撮像位置と位置検出部からの現在位置との距離に応じて撮像を指示する撮像指示部とを備えることが開示されている。
【先行技術文献】
【特許文献】
【０００４】
【特許文献１】特開２００６−２５１３８３号公報
【発明の概要】
【発明が解決しようとする課題】
【０００５】
特許文献１では、撮影スポットや撮影時刻であることをユーザに知らせ、撮影方向を指示するに留まり、撮影する際の撮像パラメータの設定は、ユーザが自ら撮影状況に応じて行わなければならない。また、撮影した際の撮像パラメータを、次回撮影時の撮像指示情報に反映させるように構成されていないため、撮影する際に、ユーザが撮影環境に応じた撮像パラメータの設定をその都度行う必要がある。そこで、撮影スポット、撮影時刻、撮影方向の撮像指示情報だけでなく、ユーザが使用するカメラと撮影環境に応じた、ユーザにとって望ましい撮像パラメータも撮像指示情報に付与することが望まれていた。
【０００６】
本発明は上記のような点に鑑みてなされたものであり、ユーザが使用する撮像装置と撮影環境に応じた、ユーザにとって望ましい撮像指示情報が得られるようにすることを目的とする。
【課題を解決するための手段】
【０００７】
本発明の位置情報取得装置は、撮像装置と通信可能な位置情報取得装置であって、当該位置情報取得装置の位置を検出する位置検出手段と、撮影スポットの位置情報と前記撮像装置の撮像パラメータを含む撮像指示情報を格納する撮像指示情報格納手段と、前記位置検出手段で検出した位置情報を前記撮像装置に送信する送信手段と、前記撮像装置で撮影の際に編集した撮像パラメータを前記撮像装置から受信する受信手段と、前記受信手段で受信した編集後の撮像パラメータを保存する保存手段とを備えることを特徴とする。
【発明の効果】
【０００８】
本発明によれば、ユーザは、撮影した際の撮像パラメータを、次回撮影時の撮像指示情報に反映させることができる。これにより、次回撮影時は、ユーザが使用する撮像装置と撮影環境に応じた、ユーザにとって望ましい撮像指示情報が得られるという効果がある。
【図面の簡単な説明】
【０００９】
【図１】第１の実施形態に係る撮影システムを構成するカメラユニット及びＧＰＳユニットの構成を示すブロック図である。
【図２】第１の実施形態に係るＧＰＳユニットが実行する処理動作を示すフローチャートである。
【図３】第１の実施形態に係るＧＰＳユニットが実行する処理動作を示すフローチャートである。
【図４】第１の実施形態に係るカメラユニット及びＧＰＳユニットが実行する処理動作を示すフローチャートである。
【図５】第２の実施形態に係る撮影システムを構成するカメラユニット及びＧＰＳユニットの構成を示すブロック図である。
【図６】第２の実施形態に係るカメラユニット及びＧＰＳユニットが実行する処理動作を示すフローチャートである。
【発明を実施するための形態】
【００１０】
以下、添付図面を参照して、本発明の好適な実施形態について説明する。
＜第１の実施形態＞
図１は、第１の実施形態に係る撮影システムを構成するカメラユニット１０１及びＧＰＳユニット２０１の構成を示すブロック図である。
【００１１】
撮像装置であるカメラユニット１０１は、携帯型のデジタルカメラである。通信モジュール部１０３は、外部のパーソナルコンピュータ（ＰＣ）やＧＰＳユニット２０１と通信するための通信手段の一例である。ＲＯＭ１０７は、カメラユニット１０１が起動するための起動プログラム等が格納されている不揮発性メモリである。ＲＴＣ１０９は、カメラユニット１０１が時刻情報を取得するためのリアルタイムクロックである。クロック１１５は、ＲＴＣ１０９にクロックを供給するための発振子である。ＲＴＣ電源１１３は、ＲＴＣ１０９が計時し、動作させるために供給するバックアップ電源である。
【００１２】
操作部１１７は、カメラユニット１０１を起動したり、撮像パラメータの設定を変更したり、撮影の際に操作したりするための操作手段の一例である。ここで、撮像パラメータとは、カメラが有する撮影モード設定機能、ストロボ設定機能、ズーム設定機能、防振設定機能、露出設定機能、ＩＳＯ感度設定機能、ホワイトバランス設定機能等の、撮影に係るカメラの機能や設定値のことである。
【００１３】
撮像部１１９は、カメラユニット１０１が外部から取り込んだ入射光を電気信号に変換し、画像データとして処理するための画像信号処理ブロックである。記録媒体１２１は、撮像した画像データや、ＧＰＳユニット２０１から受信した測位情報（位置情報）等を記録、保存するためのメモリである。ＣＰＵ１０５は、ＧＰＳユニット２０１とのデータ送受信や、カメラユニット１０１のカメラシステム全体を制御する中央演算処理装置である。メイン電源１１１は、カメラユニット１０１の各ブロックに電圧を供給するための電源である。
【００１４】
位置情報取得装置であるＧＰＳユニット２０１は、カメラユニット１０１と通信可能な携帯型のＧＰＳ端末である。通信モジュール部２０３は、外部のＰＣやカメラユニット１０１と通信したり、インターネット等の通信回線に接続し、データ通信したりするための通信手段の一例である。ＲＯＭ２０７は、ＧＰＳユニット２０１が起動するための起動プログラム等が格納されている不揮発性メモリである。ＧＰＳ部２０９は、時刻情報を取得するためのＲＴＣを含み、ＧＰＳ衛星又は無線基地局から送信される測位情報を取得して位置を検出するための位置検出手段の一例である。クロック２１５は、ＧＰＳ部２０９のＲＴＣにクロックを供給するための発振子である。ＲＴＣ電源２１３は、ＧＰＳ部２０９のＲＴＣが計時し、動作させるために供給するバックアップ電源である。
【００１５】
撮像指示情報格納部２１９は、ユーザが任意にＧＰＳユニット２０１へ入力する撮像指示情報と、カメラユニット１０１から受信した撮像パラメータを含む撮像情報を記録、保存するメモリである。ここで、本実施形態における撮像指示情報とは、撮影スポットの位置情報、撮影位置からの撮影方向、撮影を行うべきである撮影時刻、ユーザが使用するカメラに応じた、撮影の際の撮像パラメータ等の情報である。また、本実施形態における撮影情報とは、ユーザが撮影の際に編集した撮像パラメータと、撮影位置、撮影時刻が関連付けられている情報である。
【００１６】
撮像指示部２１７は、現在位置と撮影スポットの位置が、設定している距離範囲内にあることをユーザに知らせる場合や、撮像指示情報をユーザに知らせる場合の指示手段の一例である。撮像装置情報格納部２２１は、ユーザが登録したカメラ情報を記録、保存するメモリである。ここで、本実施形態におけるカメラ情報とは、カメラの撮像パラメータの設定可能範囲のことである。
【００１７】
次に、図２〜図４のフローチャートを参照して、第１の実施形態に係る撮影システムの処理動作を説明する。図２及び図３は、ＧＰＳユニット２０１が実行する処理動作を示すフローチャートである。また、図４は、カメラユニット１０１及びＧＰＳユニット２０１が実行する処理動作を示すフローチャートである。これらの処理動作は、カメラユニット１０１のＣＰＵ１０５及びＧＰＳユニット２０１のＣＰＵ２０５がそれぞれ制御プログラムを実行することにより実現される。
【００１８】
まず、第一段階として、図２に示すように、撮影を行う前に、ユーザは所有するカメラユニット１０１のカメラ情報をＧＰＳユニット２０１に登録する（ステップＳ１０１）。カメラ情報を登録する際は、例えばユーザがＧＰＳユニット２０１の通信モジュール部２０３を介して、インターネット上からカメラ情報をダウンロードする。ＧＰＳユニット２０１は、カメラ情報を、撮像装置情報格納部２２１に記録、保存する。この登録作業により、ＧＰＳユニット２０１はユーザが所有しているカメラユニット１０１のカメラ情報を取得することができる。
【００１９】
次に、ユーザは希望する特定地域における撮像指示情報をＧＰＳユニット２０１に入力する（ステップＳ１０２）。撮像指示情報を入力する際は、例えばユーザがＧＰＳユニット２０１の通信モジュール部２０３を介して、インターネット上の撮像指示情報データベースからダウンロードする。ＧＰＳユニット２０１は、撮像指示情報を、撮像指示情報格納部２１９に記録、保存する。この入力作業により、ＧＰＳユニット２０１はユーザが希望した特定地域における撮像指示情報を取得することができる。
【００２０】
次に、第二段階として、図３に示すように、ＧＰＳユニット２０１はＧＰＳ衛星又は無線基地局から送信される測位情報及び時刻情報を取得する（ステップＳ２０１）。そして、現在位置と撮像指示情報格納部２１９に保存されている撮影スポットの位置情報とを比較する（ステップＳ２０２）。ＧＰＳユニット２０１は、比較した結果から、現在位置と撮影スポットの位置とが所定の設定距離ａよりも近ければ（ステップＳ２０３）、撮影スポットであることを撮像指示部２１７を介してユーザに知らせる（ステップＳ２０４）。
【００２１】
次に、第三段階として、図４に示すように、ユーザがカメラユニット１０１を起動して撮影可能な状態に入った場合を考える（ステップＳ３０１）。この場合、カメラユニット１０１は、通信モジュール部１０３を介して、ＧＰＳユニット２０１に登録済みのカメラが撮影可能状態であることを知らせる（ステップＳ３０２）。また、カメラユニット１０１は、Ｒｅｃモード設定を行う（ステップＳ３０３）。この設定は自動的に行ってもよいし、ユーザの操作に応じて行われてもよい。
【００２２】
ＧＰＳユニット２０１は、カメラユニット１０１からの通信を受けて（ステップＳ３２１）、ＧＰＳ衛星又は無線基地局から送信される測位情報及び時刻情報を取得する（ステップＳ３２２）。そして、現在位置と撮像指示情報格納部２１９に保存されている撮影スポットの位置情報とを比較する（ステップＳ３２３）。ＧＰＳユニット２０１は、比較した結果から、現在位置と撮影スポットの位置とが所定の設定距離ａよりも近いかどうかを判定する（ステップＳ３２４）。その結果近ければ、撮像装置情報格納部２２１及び撮像指示情報格納部２１９にアクセスし、撮影するカメラと撮影スポットに応じた撮像指示情報を取得する（ステップＳ３２５）。その後、ＧＰＳユニット２０１は、取得した撮像指示情報を撮像指示部２１７を介してユーザに知らせる（ステップＳ３２６）。
【００２３】
次に、第四段階として、ＧＰＳユニット２０１での撮像指示情報を受けて、ユーザはカメラユニット１０１のカメラ設定を行い（ステップＳ４０１）、撮影を行う（ステップＳ４０２）。このとき、ユーザは撮像指示情報と同じ撮像パラメータで撮影することも可能であるが、ユーザにとって、より望ましい撮像パラメータに変更することも可能である。この例では、ユーザが撮像パラメータの設定を変更した場合を想定して、以下の説明を行う。撮影後、カメラユニット１０１は、通信モジュール部１０３を介して、ＧＰＳユニット２０１に登録済みのカメラが撮影を行ったことを知らせる（ステップＳ４０３）。
【００２４】
ＧＰＳユニット２０１は、カメラユニット１０１からの通信を受けて（ステップＳ４２１）、撮影した時刻における測位情報を取得し（ステップＳ４２２）、通信モジュール部２０３を介してカメラユニット１０１に送信する（ステップＳ４２３）。カメラユニット１０１は、ＧＰＳユニット２０１からの通信を受けて（ステップＳ４０４）、撮影した画像を記録媒体に記録、保存する（ステップＳ４０５）。このとき、ＧＰＳユニット２０１から受信した測位情報及び時刻情報を撮影位置、撮影時刻として画像に付与する（ステップＳ４０６）。
【００２５】
次に、第五段階として、カメラユニット１０１は、ユーザが撮影の際に編集した撮像パラメータと、撮影位置、撮影時刻が関連付けられている撮影情報を、通信モジュール部１０３を介してＧＰＳユニット２０１に送信する（ステップＳ５０１）。この場合に、編集後の撮像パラメータのうち、編集前との差分だけを返信するようにしてもよい。
【００２６】
ＧＰＳユニット２０１は、カメラユニット１０１からの通信を受けて（ステップＳ５２１）、撮影情報を撮像指示情報格納部２１９に保存する（ステップＳ５２２）。これにより、ＧＰＳユニット２０１は、初期の撮像指示情報とは別に、ユーザが使用するカメラと撮影環境に応じた、ユーザにとって望ましい撮像パラメータを得ることができる。ＧＰＳユニット２０１は、ここで得られた編集後の撮像パラメータを、従来の撮像指示情報に反映させる（ステップＳ５２３）。これにより、ユーザが手動で調節した撮像パラメータなどが撮像指示情報に反映される。したがって、ユーザが同じ環境（撮影スポット、撮影時刻、使用するカメラ等）で撮影する際に、編集後の撮像パラメータを新しい撮像指示情報として提示することができる。
【００２７】
＜第２の実施形態＞
図５は、第２の実施形態に係る撮影システムを構成するカメラユニット１０１及びＧＰＳユニット２０１の構成を示すブロック図である。なお、上記第１の実施形態の図１と同様の構成要素には同一の符号を付し、その説明を省略する。
【００２８】
第２の実施形態では、カメラユニット１０１が、撮像指示情報格納部１２３と、撮像指示部１２５とを備える。撮像指示情報格納部１２３は、ＧＰＳユニット２０１から受信した撮像指示情報から、ユーザが撮像パラメータを編集して撮影した際に、編集後の撮像パラメータと、撮影位置、撮影時刻を関連付けて記録、保存するメモリである。撮像指示部１２５は、撮像指示情報をユーザに知らせる場合の指示手段の一例である。
【００２９】
次に、図６のフローチャートを参照して、第２の実施形態に係る撮影システムの処理動作を説明する。ここで、第一段階と第二段階は、それぞれ上記第１の実施形態の図２と図３と同様である。第三段階として、図６に示すように、ユーザがカメラユニット１０１を起動して撮影可能な状態に入った場合を考える（ステップＳ３０１）。この場合、カメラユニット１０１は、通信モジュール部１０３を介して、ＧＰＳユニット２０１に登録済みのカメラが撮影可能状態であることを知らせる（ステップＳ３０２）。また、カメラユニット１０１は、Ｒｅｃモード設定を行う（ステップＳ３０３）。
【００３０】
ＧＰＳユニット２０１は、カメラユニット１０１からの通信を受けて（ステップＳ３２１）、ＧＰＳ衛星又は無線基地局から送信される測位情報及び時刻情報を取得する（ステップＳ３２２）。そして、現在位置と撮像指示情報格納部２１９に保存されている撮影スポットの位置情報とを比較する（ステップＳ３２３）。ＧＰＳユニット２０１は、比較した結果から、現在位置と撮影スポットの位置とが所定の設定距離ａよりも近いかどうかを判定する（ステップＳ３２４）。その結果近ければ、撮像装置情報格納部２２１及び撮像指示情報格納部２１９にアクセスし、撮影するカメラと撮影スポットに応じた撮像指示情報を取得する（ステップＳ３２５）。その後、ＧＰＳユニット２０１は、取得した撮像パラメータと、現在の位置情報、及び時刻情報を、通信モジュール部２０３を介してカメラユニット１０１に送信する（ステップＳ３２７）。
【００３１】
カメラユニット１０１は、ＧＰＳユニット２０１からの通信を受けて（ステップＳ３０４）、撮影スポットと撮影するカメラに応じた撮像指示情報を撮像指示部１２５を用いてユーザに知らせる（ステップＳ３０５）。
【００３２】
次に、第四段階として、カメラユニット１０１での撮像指示情報を受けて、ユーザはカメラユニット１０１のカメラ設定を行い（ステップＳ４０１）、撮影を行う（ステップＳ４０２）。このとき、ユーザは撮像指示情報と同じ撮像パラメータで撮影することも可能であるが、ユーザにとって、より望ましい撮像パラメータに変更することも可能である。この例では、ユーザが撮像パラメータの設定を変更した場合を想定して、以下の説明を行う。撮影後、カメラユニット１０１は、通信モジュール部１０３を介して、ＧＰＳユニット２０１に登録済みのカメラで撮影を行ったことを知らせる（ステップＳ４０３）。
【００３３】
ＧＰＳユニット２０１は、カメラユニット１０１からの通信を受けて（ステップＳ４２１）、撮影した時刻における測位情報を取得し（ステップＳ４２２）、通信モジュール部２０３を介してカメラユニット１０１に送信する（ステップＳ４２３）。カメラユニット１０１は、ＧＰＳユニット２０１からの通信を受けて（ステップＳ４０４）、撮影した画像を記録媒体に保存する（ステップＳ４０５）。このとき、ＧＰＳユニット２０１から受信した測位情報及び時刻情報を撮影位置、撮影時刻として画像に付与する（ステップＳ４０６）。
【００３４】
次に、第五段階として、カメラユニット１０１は、ユーザが撮影の際に編集した撮像パラメータと、撮影位置、撮影時刻が関連付けられている撮影情報を、撮像指示情報格納部１２３に記録、保存する（ステップＳ５０２）。これにより、カメラユニット１０１は初期の撮像指示情報とは別に、ユーザが使用するカメラと撮影環境に応じた、ユーザにとって望ましい撮像パラメータを得ることができる。カメラユニット１０１は、ここで得られた編集後の撮像パラメータを、従来の撮像指示情報に反映させる（ステップＳ５０３）。これにより、ユーザが同じ環境（撮影スポット、撮影時刻、使用するカメラ等）で撮影する際に、編集後の撮像パラメータを新しい撮像指示情報として提示することができる。
【００３５】
以上第１、２の実施形態で説明したように、ユーザは、撮影した後の撮像パラメータを、次回撮影における撮像指示情報に反映させることができる。これにより、次回撮影の際は、ユーザが使用するカメラと撮影環境に応じた、ユーザにとって望ましい撮像指示情報が得られる。
【００３６】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００３７】
また、上述の第２の実施形態において、撮像指示情報は予め撮像パラメータを含んでいる形態としたが、カメラユニット１０１の記録媒体に撮像指示情報を格納している形態でも構わない。このとき、ＧＰＳユニット２０１が格納している撮像指示情報は、撮像パラメータを含んでいない情報であっても構わない。また、カメラユニット１０１に格納する撮像指示情報は、内蔵の記録媒体に格納しても、着脱可能な記録媒体に格納しても構わない。
【００３８】
また、上述の第１、２実施形態において、カメラ情報の登録方法に関しては特に制約は無く、ユーザがカメラ情報をカメラユニット１０１からＧＰＳユニット２０１に送信してもよい。その他にも、外部ＰＣを介して、ユーザがカメラ情報データベースからカメラ情報をダウンロードしてもよい。ここで、通信する際のインターフェースは無線方式、有線方式を問わない。
【００３９】
また、上述の第１、２実施形態において、撮像指示情報の入力方法に関しても特に制約は無く、外部ＰＣを介して、ユーザが撮像指示情報データベースからダウンロードしてもよい。この場合、通信する際のインターフェースは無線方式、有線方式を問わない。また、カメラ情報と撮像指示情報は予めＧＰＳユニット２０１に内蔵の記録媒体に保存されてあってもよく、着脱可能な記録媒体に保存されている形態でもよい。
【００４０】
また、上述の第１、２実施形態において、ユーザに対して撮影スポットであることや撮像指示情報を知らせるために用いる撮像指示手段に関しても特に制約は無い。例えばＧＰＳユニット２０１もしくはカメラユニット１０１の音声案内や、発光、振動、或いは画像表示等の手段でもよい。
【００４１】
また、上述の第１、２実施形態において、ＧＰＳユニット２０１がユーザに撮影スポットであることを知らせる際は、位置情報だけでなく、時刻情報や気象情報等の情報が追加されてもよい。また、第１の実施形態のＧＰＳユニット２０１や、第２の実施形態のカメラユニット１０１がユーザに撮像指示情報を知らせる際も、位置情報だけでなく、時刻情報や気象情報等の情報が追加されてもよい。
【００４２】
また、上述の第１、２実施形態において、カメラユニット１０１とＧＰＳユニット２０１が通信を行う際のタイミングに関しても特に制約は無い。例えばカメラ起動のタイミングを、カメラの操作部がユーザからの操作を受け付けたタイミングとしてもよい。また、カメラでの撮影のタイミングを、カメラが記録媒体に画像データを書き込んだ後のタイミングとしてもよい。
【００４３】
また、第１の実施形態のＧＰＳユニット２０１や、第２の実施形態のカメラユニット１０１が保存した、編集後の撮像パラメータを、従来の撮像指示情報に反映させるか否かを、ユーザが選択できるようにしてもよい。或いは、編集前と編集後の両方の情報を知らせるようにしてもよい。
【００４４】
また、撮像指示情報データベースの最適化を図るために、第１の実施形態のＧＰＳユニット２０１や、第２の実施形態のカメラユニット１０１は、編集後の撮像パラメータを外部装置に送信してもよい。外部装置としては、例えばインターネット上のサーバや、外部ＰＣに保存されている撮像指示情報データベースがあげられる。
【００４５】
また、上述の第１、２実施形態において、カメラユニット１０１は、カメラ付携帯電話、撮像機能を有するＰＤＡ等であってもよい。また、ＧＰＳユニット２０１は、位置検出手段を有する携帯電話、位置検出手段を有する携帯型ＰＣ、位置検出手段を有するＰＤＡ等であってもよい。
【００４６】
（その他の実施形態）
また、本発明は、以下の処理を実行することによっても実現される。すなわち、上述した実施形態の機能を実現するソフトウェア（プログラム）を、ネットワーク又は各種記録媒体を介してシステム或いは装置に供給し、そのシステム或いは装置のコンピュータ（又はＣＰＵやＭＰＵ等）がプログラムを読み出して実行する処理である。
【図１】
2012058473.tif 000003
【図２】
2012058473.tif 000004
【図３】
2012058473.tif 000005
【図４】
2012058473.tif 000006
【図５】
2012058473.tif 000007
【図６】
2012058473.tif 000008